(57)【特許請求の範囲】
【請求項１】
判別用抵抗（１００ａ、２００ａ、２０１ａ、３００ａ、３０１ａ、３０２ａ）によって構成される、少なくとも１つの判別用回路（１００、２００、２０１、３００〜３０２）と、
一端が電源に接続された分圧用抵抗（１１０、２１０、３１０）を有し、前記判別用抵抗の接続の仕方によって出力が異なる出力回路（１１、２１、３１）と、
前記分圧用抵抗の他端に接続され、前記分圧用抵抗の他端の電圧に基づいて判別対象の種類を判別する種類判別回路（１２、２２、３２）と、
を備えた種類判別装置であって、
前記判別対象の種類によって前記判別用回路と前記出力回路の接続の仕方が異なるように、前記判別対象において配線されていることを特徴とする種類判別装置。
【請求項２】
前記判別対象（Ｂ１０、Ｂ１１、Ｂ２０〜Ｂ２３、Ｂ３０〜Ｂ３６）は、電池であることを特徴とする請求項１に記載の種類判別装置。
【発明の詳細な説明】
【技術分野】
【０００１】
本発明は、判別対象の種類を判別する種類判別装置に関する。
【背景技術】
【０００２】
従来、判別対象の種類を判別する種類判別装置として、例えば以下に示す特許文献１に開示されている電池種類判別装置がある。
【０００３】
この電池種類判別装置は、電池の種類を判別する装置である。電池種類判別装置は、判別用抵抗と、サーミスタと、判別制御回路とを備えている。
【０００４】
判別用抵抗は、電池に設けられ、電池の種類に対応した抵抗値に設定されている。サーミスタは、電池に設けられ、電池の種類に応じた所定の接続関係で判別用抵抗に接続されている。判別制御回路は、判別用抵抗の抵抗値と、判別用抵抗とサーミスタの接続関係に基づいて電池の種類を判別する。
【先行技術文献】
【特許文献】
【０００５】
【特許文献１】特開平９−１７４６０号公報
【発明の概要】
【発明が解決しようとする課題】
【０００６】
前述した電池種類判別装置では、電池の種類に応じて判別用抵抗の抵抗値を変えるとともに、判別用抵抗とサーミスタの接続関係を変えなければならない。つまり、電池の種類に応じて、判別用抵抗及びサーミスタからなる判別用回路の構成を変えなければならない。そのため、電池の種類が多い場合、判別用回路の種類が増えてしまう。その結果、多くの種類の中から適切な判別用回路を選択しなければならず、判別用回路の組付け作業が複雑になってしまう。しかも、判別用抵抗及びサーミスタからなる判別用回路を電池に固定しなければならない。そのため、判別用回路の組付け作業に手間がかかってしまう。
【０００７】
本発明はこのような事情に鑑みてなされたものであり、判別対象の種類によって判別用回路の構成を変えることなく、しかも、判別用回路を判別対象に設けることなく判別対象の種類を判別することができる種類判別用装置を提供することを目的とする。
【課題を解決するための手段】
【０００８】
上記課題を解決するためになされた本発明は、判別用抵抗によって構成される、少なくとも１つの判別用回路と、一端が電源に接続された分圧用抵抗を有し、判別用抵抗の接続の仕方によって出力が異なる出力回路と、分圧用抵抗の他端に接続され、前記分圧用抵抗の他端の電圧に基づいて判別対象の種類を判別する種類判別回路と、を備えた種類判別装置であって、判別対象の種類によって判別用回路と出力回路の接続の仕方が異なるように、判別対象において配線されていることを特徴とする。
【０００９】
この構成によれば、判別用回路の構成を変えることなく、しかも、判別用回路を判別対象に設けることなく判別対象の種類を判別することができる。
【図面の簡単な説明】
【００１０】
【図１】第１実施形態におけるバッテリ種類判別装置の回路図である。
【図２】タイプＡのバッテリにおける判別用回路の接続関係を示す回路図である。
【図３】タイプＢのバッテリにおける判別用回路の接続関係を示す回路図である。
【図４】タイプＡのバッテリが接続された状態におけるバッテリ種類判別装置の回路図である。
【図５】タイプＢのバッテリが接続された状態におけるバッテリ種類判別装置の回路図である。
【図６】第２実施形態におけるバッテリ種類判別装置の回路図である。
【図７】タイプＡのバッテリにおける判別用回路の接続関係を示す回路図である。
【図８】タイプＢのバッテリにおける判別用回路の接続関係を示す回路図である。
【図９】タイプＣのバッテリにおける判別用回路の接続関係を示す回路図である。
【図１０】タイプＤのバッテリにおける判別用回路の接続関係を示す回路図である。
【図１１】タイプＡのバッテリが接続された状態におけるバッテリ種類判別装置の回路図である。
【図１２】タイプＢのバッテリが接続された状態におけるバッテリ種類判別装置の回路図である。
【図１３】タイプＣのバッテリが接続された状態におけるバッテリ種類判別装置の回路図である。
【図１４】タイプＤのバッテリが接続された状態におけるバッテリ種類判別装置の回路図である。
【図１５】第３実施形態におけるバッテリ種類判別装置の回路図である。
【図１６】タイプＡのバッテリにおける判別用回路の接続関係を示す回路図である。
【図１７】タイプＢのバッテリにおける判別用回路の接続関係を示す回路図である。
【図１８】タイプＣのバッテリにおける判別用回路の接続関係を示す回路図である。
【図１９】タイプＤのバッテリにおける判別用回路の接続関係を示す回路図である。
【図２０】タイプＥのバッテリにおける判別用回路の接続関係を示す回路図である。
【図２１】タイプＦのバッテリにおける判別用回路の接続関係を示す回路図である。
【図２２】タイプＧのバッテリにおける判別用回路の接続関係を示す回路図である。
【図２３】タイプＡのバッテリが接続された状態におけるバッテリ種類判別装置の回路図である。
【図２４】タイプＢのバッテリが接続された状態におけるバッテリ種類判別装置の回路図である。
【図２５】タイプＣのバッテリが接続された状態におけるバッテリ種類判別装置の回路図である。
【図２６】タイプＤのバッテリが接続された状態におけるバッテリ種類判別装置の回路図である。
【図２７】タイプＥのバッテリが接続された状態におけるバッテリ種類判別装置の回路図である。
【図２８】タイプＦのバッテリが接続された状態におけるバッテリ種類判別装置の回路図である。
【図２９】タイプＧのバッテリが接続された状態におけるバッテリ種類判別装置の回路図である。
【発明を実施するための形態】
【００１１】
次に、実施形態を挙げ、本発明をより詳しく説明する。本実施形態では、本発明に係る種類判別装置を、車両に搭載されたバッテリの種類を判別するバッテリ種類判別装置に適用した例を示す。
【００１２】
（第１実施形態）
まず、図１〜図３を参照して第１実施形態のモータの構成について説明する。
【００１３】
図１に示すバッテリ種類判別装置１（種類判別装置）は、車両に搭載されたバッテリＢ（判別対象、電池）の種類を判別し、判別結果に応じた信号を出力する装置である。バッテリ種類判別装置１は、判別用回路１００と、出力回路１１と、種類判別回路１２と、配線部材１３とを備えている。
【００１４】
判別用回路１００は、バッテリＢを判別するための情報を構成する回路である。判別用回路１００は、判別用抵抗１００ａによって構成されている。判別用抵抗１００ａの一端は配線部材１３に、他端はグランドＧＮＤにそれぞれ接続されている。
【００１５】
出力回路１１は、判別用回路１００の接続の仕方によって出力が異なるように構成された回路である。出力回路１１は、分圧用抵抗１１０を備えている。分圧用抵抗１１０の一端は電圧Ｖｃｃの電源（図略）に、他端は配線部材１３に接続されるとともに、種類判別回路１２に接続されている。出力回路１１は、分圧用抵抗１１０に対する判別用抵抗１００ａの接続の仕方によって、分圧用抵抗１１０の他端の電圧、つまり出力が異なる。
【００１６】
種類判別回路１２は、出力回路１１の出力に基づいてバッテリＢの種類を判別し、判別結果に応じた信号を出力する回路である。種類判別回路１２は、予め設定されている、分圧用抵抗１１０の他端の電圧とバッテリＢの種類の関係に基づいてバッテリＢの種類を判別する。種類判別回路１２の入力端は分圧用抵抗１１０の他端に接続されている。
【００１７】
配線部材１３は、判別用回路１００及び出力回路１１を配線する部材である。配線部材１３は、コネクタ１３０と、ケーブル１３１と、コネクタ１３２とを備えている。
【００１８】
コネクタ１３０は、判別用回路１００及び出力回路１１をケーブル１３１に配線するための部材である。コネクタ１３０は、ピンＴＢ１、ＴＢ２を備えている。ピンＴＢ１は、分圧用抵抗１１０の他端に接続されるとともに、ケーブル１３１に接続されている。ピンＴＢ２は、判別用抵抗１００ａの一端に接続されるとともにケーブル１３１に接続されている。
【００１９】
ケーブル１３１は、コネクタ１３０をコネクタ１３２に配線する部材である。ケーブル１３１は、電線１３１ａ、１３１ｂによって構成されている。電線１３１ａ、１３１ｂの一端はコネクタ１３０のピンＴＢ１、ＴＢ２に、他端はコネクタ１３２にそれぞれ接続されている。
【００２０】
コネクタ１３２は、バッテリＢに設けられ、ケーブル１３１を構成する電線１３１ａ、１３１ｂを配線する部材である。コネクタ１３２は、バッテリＢの種類によって判別用回路１００と出力回路１１の接続の仕方が異なるように、電線１３１ａ、１３１ｂを配線する。
【００２１】
図２に示すように、バッテリＢがタイプＡのバッテリＢ１０である場合、コネクタのピンＴＢ１、ＴＢ２はともに接続されておらず、オープン状態である。図３に示すように、バッテリＢがタイプＢのバッテリＢ１１である場合、コネクタのピンＴＢ１とピンＴＢ２が接続されている。
【００２２】
次に、図４及び図５を参照して第１実施形態のバッテリ種類判別装置の動作について説明する。
【００２３】
図４に示すように、バッテリＢがタイプＡのバッテリＢ１０である場合、コネクタ１３２のピンＴＢ１、ＴＢ２がともにオープン状態であるため、分圧用抵抗１１０に判別用抵抗１００ａは接続されない。そのため、出力回路１１は電圧Ｖｃｃを出力する。種類判別回路１２は、出力回路１１が電圧Ｖｃｃを出力していることから、バッテリＢがタイプＡのバッテリＢ１０であると判別し、判別結果に応じた信号を出力する。
【００２４】
図５に示すように、バッテリＢがタイプＢのバッテリＢ１１である場合、コネクタ１３２のピンＴＢ１がピンＴＢ２に接続されているため、分圧用抵抗１１０の他端に判別用抵抗１００ａが接続される。そのため、出力回路１１は、電圧Ｖｃｃを分圧用抵抗１１０と判別用抵抗１００ａで分圧して出力する。種類判別回路１２は、出力回路１１が分圧用抵抗１１０と判別用抵抗１００ａで分圧して所定の電圧を出力していることから、バッテリＢがタイプＢのバッテリＢ１０であると判別し、判別結果に応じた信号を出力する。
【００２５】
次に、第１実施形態のバッテリ種類判別装置の効果について説明する。
【００２６】
第１実施形態によれば、バッテリ種類判別装置１は、判別用回路１００と、出力回路１１と、種類判別回路１２とを備えている。出力回路１１は、判別用回路１００の接続の仕方によって出力が異なるように構成された回路である。種類判別回路１２は、出力回路１１の出力に基づいてバッテリＢの種類を判別し、判別結果に応じた信号を出力する回路である。そして、バッテリＢの種類によって判別用回路１００と出力回路１１の接続の仕方が異なるように、バッテリＢにおいて配線されている。そのため、バッテリＢの種類によって判別用回路１００の構成を変えることなく、しかも、判別用回路１００をバッテリＢに設けることなくバッテリＢの種類を判別することができる。
【００２７】
第１実施形態によれば、判別用回路１００は、判別用抵抗１００ａによって構成されている。出力回路１１は、分圧用抵抗１１０を備えており、分圧用抵抗１１０に対する判別用抵抗１００ａの接続の仕方によって、分圧用抵抗１１０の他端の電圧、つまり出力が異なる。種類判別回路１２は、分圧用抵抗１１０の他端の電圧に基づいてバッテリＢの種類を判別する。そのため、バッテリＢの種類を確実に判別することができる。
【００２８】
（第２実施形態）
次に、第２実施形態のバッテリ種類判別装置について説明する。第２実施形態のバッテリ種類判別装置は、第１実施形態のバッテリ種類判別装置に対して判別用回路の数を増やしものである。
【００２９】
まず、図６〜図１０を参照して第２実施形態のバッテリ種類判別装置の構成について説明する。
【００３０】
図６に示すバッテリ種類判別装置２（種類判別装置）は、バッテリＢ（判別対象、電池）の種類を判別し、判別結果に応じた信号を出力する装置である。バッテリ種類判別装置２は、２つの判別用回路２００、２０１と、出力回路２１と、種類判別回路２２と、配線部材２３とを備えている。
【００３１】
判別用回路２００、２０１は、バッテリＢの種類に応じた情報を構成するための回路である。判別用回路２００、２０１は、判別用抵抗２００ａ、２０１ａによって構成されている。判別用抵抗２００ａ、２０１ａの抵抗値は異なる値に設定されている。判別用抵抗２００ａ、２０１ａの一端は配線部材２３に、他端はグランドＧＮＤにそれぞれ接続されている。
【００３２】
出力回路２１は、判別用回路２００、２０１の接続の仕方によって出力が異なるように構成された回路である。出力回路２１は、分圧用抵抗２１０を備えている。出力回路２１は、第１実施形態の出力回路１１と同一構成である。
【００３３】
種類判別回路２２は、出力回路２１の出力に基づいてバッテリＢの種類を判別し、判別結果に応じた信号を出力する回路である。種類判別回路２２は、予め設定されている、分圧用抵抗２１０の他端の電圧とバッテリＢの種類の関係に基づいてバッテリＢの種類を判別する。種類判別回路２２の入力端は分圧用抵抗２１０の他端に接続されている。
【００３４】
配線部材２３は、判別用回路２００、２０１及び出力回路２１を配線する部材である。配線部材２３は、コネクタ２３０と、ケーブル２３１と、コネクタ２３２とを備えている。
【００３５】
コネクタ２３０は、判別用回路２００、２０１及び出力回路２１をケーブル２３１に配線するための部材である。コネクタ２３０は、ピンＴＢ１〜ＴＢ３を備えている。ピンＴＢ１は、分圧用抵抗２１０の他端に接続されるとともに、ケーブル２３１に接続されている。ピンＴＢ２、ＴＢ３は、判別用抵抗２００ａ、２０１ａの一端に接続されるとともにケーブル２３１に接続されている。
【００３６】
ケーブル２３１は、コネクタ２３０をコネクタ２３２に配線する部材である。ケーブル２３１は、電線２３１ａ〜２３１ｃによって構成されている。電線２３１ａ〜２３１ｃの一端はコネクタ２３０のピンＴＢ１〜ＴＢ３に、他端はコネクタ２３２にそれぞれ接続されている。
【００３７】
コネクタ２３２は、バッテリＢに設けられ、ケーブル２３１を構成する電線２３１ａ〜２３１ｃを配線する部材である。コネクタ２３２は、バッテリＢの種類によって判別用回路２００、２０１と出力回路２１の接続の仕方が異なるように、電線２３１ａ〜２３１ｃを配線する。
【００３８】
図７に示すように、バッテリＢがタイプＡのバッテリＢ２０である場合、コネクタのピンＴＢ１〜ＴＢ３はともに接続されておらず、オープン状態である。図８に示すように、バッテリＢがタイプＢのバッテリＢ２１である場合、コネクタのピンＴＢ１とピンＴＢ２だけが接続されている。図９に示すように、バッテリＢがタイプＣのバッテリＢ２２である場合、コネクタのピンＴＢ１とピンＴＢ３だけが接続されている。図１０に示すように、バッテリＢがタイプＤのバッテリＢ２３である場合、コネクタのピンＴＢ１〜ＴＢ３が接続されている。
【００３９】
次に、図１１〜図１４を参照して第２実施形態のバッテリ種類判別装置の動作について説明する。
【００４０】
図１１に示すように、バッテリＢがタイプＡのバッテリＢ２０である場合、種類判別回路２２は、出力回路２１の出力が電圧Ｖｃｃであることから、バッテリＢがタイプＡのバッテリＢ２０である判別し、判別結果に応じた信号を出力する。
【００４１】
図１２に示すように、バッテリＢがタイプＢのバッテリＢ２１である場合、種類判別回路２２は、出力回路２１の出力が分圧用抵抗２１０と判別用抵抗２００ａで分圧された所定電圧であることから、バッテリＢがタイプＢのバッテリＢ２１である判別し、判別結果に応じた信号を出力する。
【００４２】
図１３に示すように、バッテリＢがタイプＣのバッテリＢ２２である場合、種類判別回路２２は、出力回路２１の出力が分圧用抵抗２１０と判別用抵抗２０１ａで分圧された所定電圧であることから、バッテリＢがタイプＣのバッテリＢ２２である判別し、判別結果に応じた信号を出力する。
【００４３】
図１４に示すように、バッテリＢがタイプＤのバッテリＢ２３である場合、種類判別回路２２は、出力回路２１の出力が分圧用抵抗２１０と判別用抵抗２００ａ、２０１ａで分圧された所定電圧であることから、バッテリＢがタイプＤのバッテリＢ２３である判別し、判別結果に応じた信号を出力する。
【００４４】
次に、第２実施形態のバッテリ種類判別装置の効果について説明する。第２実施形態によれば、第１実施形態と同様の効果を得ることができる。
【００４５】
（第３実施形態）
次に、第３実施形態のバッテリ種類判別装置について説明する。第３実施形態のバッテリ種類判別装置は、第１実施形態のバッテリ種類判別装置に対して判別用回路の数を増やすとともに、一部の判別用回路の構成を変更したものである。
【００４６】
まず、図１５〜図２５を参照して第３実施形態のバッテリ種類判別装置の構成について説明する。
【００４７】
図１５に示すバッテリ種類判別装置３（種類判別装置）は、バッテリＢ（判別対象、電池）の種類を判別し、判別結果に応じた信号を出力する装置である。バッテリ種類判別装置３は、３つの判別用回路３００〜３０２と、出力回路３１と、種類判別回路３２と、配線部材３３とを備えている。
【００４８】
判別用回路３００〜３０２は、バッテリＢの種類に応じた情報を構成するための回路である。判別用回路３００〜３０２は、判別用抵抗３００ａ、３０１ａ、３０２ａによって構成されている。判別用抵抗３００ａ、３０１ａ、３０２ａの抵抗値は異なる値に設定されている。判別用抵抗３００ａの一端は配線部材３３に、他端は後述する分圧用抵抗３１０の他端にそれぞれ接続されている。判別用抵抗３０１ａ、３０２ａの一端は配線部材３３に、他端はグランドＧＮＤにそれぞれ接続されている。
【００４９】
出力回路３１は、判別用回路３００〜３０２の接続の仕方によって出力が異なるように構成された回路である。出力回路３１は、分圧用抵抗３１０を備えている。出力回路３１は、第１実施形態の出力回路１１と同一構成である。
【００５０】
種類判別回路３２は、出力回路３１の出力に基づいてバッテリＢの種類を判別し、判別結果に応じた信号を出力する回路である。種類判別回路３２は、予め設定されている、分圧用抵抗３１０の他端の電圧とバッテリＢの種類の関係に基づいてバッテリＢの種類を判別する。種類判別回路３２の入力端は分圧用抵抗３１０の他端に接続されている。
【００５１】
配線部材３３は、判別用回路３００〜３０２及び出力回路３１を配線する部材である。配線部材３３は、コネクタ３３０と、ケーブル３３１と、コネクタ３３２とを備えている。
【００５２】
コネクタ３３０は、判別用回路３００〜３０２及び出力回路３１をケーブル３３１に配線するための部材である。コネクタ３３０は、ピンＴＢ１〜ＴＢ４を備えている。ピンＴＢ１は、分圧用抵抗３１０の他端に接続されるとともに、ケーブル３３１に接続されている。ピンＴＢ２〜ＴＢ４は、判別用抵抗３００ａ、３０１ａ、３０２ａの一端に接続されるとともにケーブル３３１に接続されている。
【００５３】
ケーブル３３１は、コネクタ３３０をコネクタ３３２に配線する部材である。ケーブル３３１は、電線３３１ａ〜３３１ｄによって構成されている。電線３３１ａ〜３３１ｄの一端はコネクタ３３０のピンＴＢ１〜ＴＢ４に、他端はコネクタ３３２にそれぞれ接続されている。
【００５４】
コネクタ３３２は、バッテリＢに設けられ、ケーブル３３１を構成する電線３３１ａ〜３３１ｄを配線する部材である。コネクタ３３２は、バッテリＢの種類によって判別用回路３００〜３０２と出力回路３１の接続の仕方が異なるように、電線３３１ａ〜３３１ｄを配線する。
【００５５】
図１６に示すように、バッテリＢがタイプＡのバッテリＢ３０である場合、コネクタのピンＴＢ１〜ＴＢ４はともに接続されておらず、オープン状態である。図１７に示すように、バッテリＢがタイプＢのバッテリＢ３１である場合、コネクタのピンＴＢ１とピンＴＢ３だけが接続されている。図１８に示すように、バッテリＢがタイプＣのバッテリＢ３２である場合、コネクタのピンＴＢ１とピンＴＢ４だけが接続されている。図１９に示すように、バッテリＢがタイプＤのバッテリＢ３３である場合、コネクタのピンＴＢ２とピンＴＢ３だけが接続されている。図２０に示すように、バッテリＢがタイプＥのバッテリＢ３４である場合、コネクタのピンＴＢ２とピンＴＢ４だけが接続されている。図２１に示すように、バッテリＢがタイプＦのバッテリＢ３５である場合、コネクタのピンＴＢ１、ＴＢ３、ＴＢ４だけが接続されている。図２２に示すように、バッテリＢがタイプＧのバッテリＢ３６である場合、コネクタのピンＴＢ２〜ＴＢ４だけが接続されている。
【００５６】
次に、図２３〜図２９を参照して第３実施形態のバッテリ種類判別装置の動作について説明する。
【００５７】
図２３に示すように、バッテリＢがタイプＡのバッテリＢ３０である場合、種類判別回路３２は、出力回路３１の出力が電圧Ｖｃｃであることから、バッテリＢがタイプＡのバッテリＢ３０である判別し、判別結果に応じた信号を出力する。
【００５８】
図２４に示すように、バッテリＢがタイプＢのバッテリＢ３１である場合、種類判別回路３２は、出力回路３１の出力が分圧用抵抗３１０と判別用抵抗３０１ａで分圧された所定電圧であることから、バッテリＢがタイプＢのバッテリＢ３１である判別し、判別結果に応じた信号を出力する。
【００５９】
図２５に示すように、バッテリＢがタイプＣのバッテリＢ３２である場合、種類判別回路３２は、出力回路３１の出力が分圧用抵抗３１０と判別用抵抗３０２ａで分圧された所定電圧であることから、バッテリＢがタイプＣのバッテリＢ３２である判別し、判別結果に応じた信号を出力する。
【００６０】
図２６に示すように、バッテリＢがタイプＤのバッテリＢ３３である場合、種類判別回路３２は、出力回路３１の出力が分圧用抵抗３１０と判別用抵抗３００ａ、３０１ａで分圧された所定電圧であることから、バッテリＢがタイプＤのバッテリＢ３３である判別し、判別結果に応じた信号を出力する。
【００６１】
図２７に示すように、バッテリＢがタイプＥのバッテリＢ３４である場合、種類判別回路３２は、出力回路３１の出力が分圧用抵抗３１０と判別用抵抗３００ａ、３０２ａで分圧された所定電圧であることから、バッテリＢがタイプＥのバッテリＢ３４である判別し、判別結果に応じた信号を出力する。
【００６２】
図２８に示すように、バッテリＢがタイプＦのバッテリＢ３５である場合、種類判別回路３２は、出力回路３１の出力が分圧用抵抗３１０と判別用抵抗３０１ａ、３０２ａで分圧された所定電圧であることから、バッテリＢがタイプＦのバッテリＢ３５である判別し、判別結果に応じた信号を出力する。
【００６３】
図２９に示すように、バッテリＢがタイプＧのバッテリＢ３６である場合、種類判別回路３２は、出力回路３１の出力が分圧用抵抗３１０と判別用抵抗３００ａ、３０１ａ、３０２ａで分圧された所定電圧であることから、バッテリＢがタイプＧのバッテリＢ３６である判別し、判別結果に応じた信号を出力する。
【００６４】
次に、第３実施形態のバッテリ種類判別装置の効果について説明する。第３実施形態によれば、第１実施形態と同様の効果を得ることができる。
【００６５】
なお、第１実施形態では判別用回路を１つ、第２実施形態では判別用回路を２つ、第３実施形態では判別用回路を３つ備えている例を挙げているが、これに限られるものではない。４つ以上の判別用回路を備えていてもよい。判別用回路が多いほど、より多くの種類を判別することができる。少なくとも１つの判別用回路を備えていればよい。
【００６６】
第１〜第３実施形態では、電源の電圧を分圧用抵抗と判別用抵抗で分圧することで、判別用回路の接続の仕方によって出力が異なるように構成されている例を挙げているが、これに限られるものではない。判別用回路を所定の電圧を出力する回路とし、接続された判別用回路の出力電圧を加算等の演算をすることで、判別用回路の接続の仕方によって出力が異なるように構成してもよい。
【符号の説明】
【００６７】
１・・・バッテリ種類判別装置（種類判別装置）、１００・・・判別用回路、１００ａ・・・判別用抵抗、１１・・・出力回路、１１０・・・分圧用抵抗、１２・・・種類判別回路、Ｂ１０・・・タイプＡのバッテリ（判別対象、電池）、Ｂ１１・・・タイプＢのバッテリ（判別対象、電池）
【図１】
0006455718.tif 000002
【図２】
0006455718.tif 000003
【図３】
0006455718.tif 000004
【図４】
0006455718.tif 000005
【図５】
0006455718.tif 000006
【図６】
0006455718.tif 000007
【図７】
0006455718.tif 000008
【図８】
0006455718.tif 000009
【図９】
0006455718.tif 000010
【図１０】
0006455718.tif 000011
【図１１】
0006455718.tif 000012
【図１２】
0006455718.tif 000013
【図１３】
0006455718.tif 000014
【図１４】
0006455718.tif 000015
【図１５】
0006455718.tif 000016
【図１６】
0006455718.tif 000017
【図１７】
0006455718.tif 000018
【図１８】
0006455718.tif 000019
【図１９】
0006455718.tif 000020
【図２０】
0006455718.tif 000021
【図２１】
0006455718.tif 000022
【図２２】
0006455718.tif 000023
【図２３】
0006455718.tif 000024
【図２４】
0006455718.tif 000025
【図２５】
0006455718.tif 000026
【図２６】
0006455718.tif 000027
【図２７】
0006455718.tif 000028
【図２８】
0006455718.tif 000029
【図２９】
0006455718.tif 000030